(57)【特許請求の範囲】
【請求項１】
第１表示部および第２表示部と、
前記第１表示部が配される第１キャビネットと、
前記第２表示部が配される第２キャビネットと、
前記第１表示部上に配され、前記第１表示部に対する入力を検出する入力検出部と、
前記入力検出部を前記第２表示部に対する入力を検出する検出部に切り替えるための切替操作を検出する切替検出部と、
前記第１表示部および前記第２表示部を制御する制御部と、を備え、
前記第１表示部および前記第１キャビネットは、前記第１表示部が前記第２表示部上に重なるように配置された場合に、前記第２表示部に表示された画像が前記第１表示部を通して見られるように構成され、
前記制御部は、前記第１表示部が前記第２表示部上に重なる状態にあるときに、前記第１表示部に画像を、当該画像に重なった前記第２表示部の画像が透けて見えるように半透明な状態で表示させ、前記切替操作がなされた場合に、前記入力検出部により検出された前記第２表示部に対する入力に基づいて前記２表示部を制御する、
ことを特徴とする携帯端末装置。
【請求項２】
請求項１に記載の携帯端末装置において、
前記切替操作の際に操作される切替操作部を、さらに備え、
前記切替検出部は、前記切替操作部が操作されることにより前記切替操作を検出する、
ことを特徴とする携帯端末装置。
【請求項３】
請求項１に記載の携帯端末装置において、
前記入力検出部は、感圧タイプのタッチセンサを含み、
前記切替検出部は、前記タッチセンサに加えられる圧力に基づいて前記切替操作を検出する、
ことを特徴とする携帯端末装置。
【請求項４】
請求項１ないし３の何れか一項に記載の携帯端末装置において、
前記第１表示部は、透光性を有し、
前記第１キャビネットは、前記第１表示部が前記第２表示部上に重なる状態において前記第１表示部と前記第２表示部とに挟まれる部位に前記第２表示部に表示された画像が通過する通過部を備える、
ことを特徴とする携帯端末装置。
【請求項５】
請求項４に記載の携帯端末装置において、
前記第１表示部は、透光性を有する有機ＥＬディスプレイを含み、画像が表示された状態で、前記第１表示部の向こう側が透けて見える、
ことを特徴とする携帯端末装置。
【請求項６】
請求項５に記載の携帯端末装置において、
前記制御部は、前記切替操作がなされた場合に、前記第１表示部の輝度を低下させて、または、前記第１表示部を消灯して、前記第１表示部における前記第２表示部の画像の透過度を増加させる、
ことを特徴とする携帯端末装置。
【請求項７】
第１表示部および第２表示部と、
前記第１表示部が配される第１キャビネットと、
前記第２表示部が配される第２キャビネットと、
前記第１表示部上に配され、前記第１表示部に対する入力を検出する入力検出部と、を備え、
前記第１表示部および前記第１キャビネットが、前記第１表示部が前記第２表示部上に重なるように配置された場合に、前記第２表示部に表示された画像が前記第１表示部を通して見られるように構成された携帯端末装置のコンピュータに、
前記入力検出部を前記第２表示部に対する入力を検出する検出部に切り替えるための切替操作を検出する機能と、
前記第１表示部が前記第２表示部上に重なる状態にあるときに、前記第１表示部に画像を、当該画像に重なった前記第２表示部の画像が透けて見えるように半透明な状態で表示させ、前記切替操作がなされた場合に、前記入力検出部により検出された前記第２表示部に対する入力に基づいて前記２表示部を制御する機能と、
を付与するプログラム。
【請求項８】
請求項１に記載の携帯端末装置において、
前記制御部は、前記第１表示部が前記第２表示部上に重なる状態にあるときに、前記第２表示部の画像に連動する画像を前記第１表示部に半透明な状態で表示させる、
ことを特徴とする携帯端末装置。
【請求項９】
請求項８に記載の携帯端末装置において、
カメラ部をさらに備え、
前記制御部は、前記第２表示部に前記カメラ部で撮影した撮影画面を表示させ、前記第１表示部に前記撮影画面に関連する付加情報からなる付加情報画面を半透明な状態で表示させる、
ことを特徴とする携帯端末装置。
【請求項１０】
請求項１に記載の携帯端末装置において、
前記制御部は、前記第２表示部に動画の再生画面を表示させ、前記第１表示部に前記第２表示部の動画の比較対象となる動画の再生画面を半透明な状態で表示させる、
ことを特徴とする携帯端末装置。
【発明の詳細な説明】
【技術分野】
【０００１】
本発明は、携帯電話機やＰＤＡ（Personal Digital Assistant）、タブレットＰＣ（Tablet PC）等の携帯端末装置および当該携帯端末装置に用いて好的なプログラムに関するものである。
【背景技術】
【０００２】
従来、携帯電話機等の携帯端末装置において、２つのディスプレイを備える構成が提案されている。かかる携帯端末装置において、２つのディスプレイが並ぶ開状態と、一方のディスプレイが他方のディスプレイの上に重なる閉状態とに切替え可能な構成が採られる（たとえば、特許文献１参照）。
【０００３】
上記のように、携帯端末装置が２つのディスプレイを備える場合、２つのアプリケーションのそれぞれの実行画面が、２つのディスプレイにそれぞれ表示され得る。
【０００４】
たとえば、各ディスプレイにおいて実行されるアプリケーションに対する操作は、各ディスプレイ上に配されたタッチセンサへの入力により行われる。
【先行技術文献】
【特許文献】
【０００５】
【特許文献１】特開平９−３０５２６２号公報
【発明の概要】
【発明が解決しようとする課題】
【０００６】
上記のように、携帯端末装置が閉状態と開状態とに切替可能である場合、ユーザが移動する際には、携帯しやすいように、携帯端末装置が閉状態とされ得る。双方のディスプレイにおいてアプリケーションが実行されているときに閉状態とされた場合、下側のディスプレイにおいても、引き続きアプリケーションが実行され続ける。
【０００７】
ユーザは、移動しながら携帯端末装置を使用する場合もある。この場合に、ユーザは、携帯端末装置が持ちにくくなるので開状態にはしたくないが、下側のディスプレイにおけるアプリケーションの実行画面を見たり、実行画面に対して操作したりしたい状況が生じ得る。
【０００８】
たとえば、下側のディスプレイにウェブ画面を表示したまま、上側のディスプレイでは電子メールやメモ帳を起動して文書を作成するような場合に、ユーザは、時折、ウェブ画面の情報を参照したり、そのウェブ画面に対して、所定の操作、たとえば拡大や移動の操作を行ったりしたい状況が生じ得る。
【０００９】
しかしながら、上記の構成では、閉状態では下側のディスプレイとタッチセンサは、上側のディスプレイにより隠れた状態となっているため、下側のディスプレイの実行画面を見たり、実行画面に対して操作したりできない。
【００１０】
本発明は、このような課題に鑑みてなされたものであり、２つの表示部を備える携帯端末装置において、一方の表示部が他方の表示部の上に重なる閉状態においても、他方の表示部の実行画面を見たり、実行画面に対して操作したりできるようにすることを目的とする。
【課題を解決するための手段】
【００１１】
本発明の第１の態様に係る携帯端末装置は、第１表示部および第２表示部と、前記第１表示部が配される第１キャビネットと、前記第２表示部が配される第２キャビネットと、前記第１表示部上に配され、前記第１表示部に対する入力を検出する入力検出部と、前記入力検出部を前記第２表示部に対する入力を検出する検出部に切り替えるための切替操作を検出する切替検出部と、前記第１表示部および前記第２表示部を制御する制御部と、を備える。ここで、前記第１表示部および前記第１キャビネットは、前記第１表示部が前記第２表示部上に重なるように配置された場合に、前記第２表示部に表示された画像が前記第１表示部を通して見られるように構成される。そして、前記制御部は、前記第１表示部が前記第２表示部上に重なる状態にあるときに、前記第１表示部に画像を、当該画像に重なった前記第２表示部の画像が透けて見えるように半透明な状態で表示させ、前記切替操作がなされた場合に、前記入力検出部により検出された前記第２表示部に対する入力に基づいて前記２表示部を制御する。
本態様に係る携帯端末装置において、前記制御部は、前記第１表示部が前記第２表示部上に重なる状態にあるときに、前記第２表示部の画像に連動する画像を前記第１表示部に半透明な状態で表示させる構成とされ得る。たとえば、携帯端末装置がカメラ部をさらに備える場合、前記制御部は、前記第２表示部に前記カメラ部で撮影した撮影画面を表示させ、前記第１表示部に前記撮影画面に関連する付加情報からなる付加情報画面を半透明な状態で表示させる構成とされ得る。
本態様に係る携帯端末装置において、前記制御部は、前記第２表示部に動画の再生画面を表示させ、前記第１表示部に前記第２表示部の動画の比較対象となる動画の再生画面を半透明な状態で表示させる構成とされ得る。
【００１２】
本態様に係る携帯端末装置において、前記切替操作の際に操作される切替操作部を、さらに備えるような構成とされ得る。この場合、前記切替検出部は、前記切替操作部が操作されることにより前記切替操作を検出する。
【００１３】
本態様に係る携帯端末装置において、前記入力検出部は、感圧タイプのタッチセンサを含むような構成とされ得る。この場合、前記切替検出部は、前記タッチセンサに加えられる圧力に基づいて前記切替操作を検出する。
【００１４】
本態様に係る携帯端末装置において、前記第１表示部は、透光性を有するような構成とされ得る。この場合、前記第１キャビネットは、前記第１表示部が前記第２表示部上に重なる状態において前記第１表示部と前記第２表示部とに挟まれる部位に前記第２表示部に表示された画像が通過する通過部を備える。
【００１５】
上記構成とした場合、さらに、前記第１表示部は、透光性を有する有機ＥＬディスプレイを含み、画像が表示された状態で、前記第１表示部の向こう側が透けて見えるような構成とされ得る。
【００１６】
上記構成とした場合、さらに、前記制御部は、前記切替操作がなされた場合に、前記第１表示部の輝度を低下させて、または、前記第１表示部を消灯して、前記第１表示部における前記第２表示部の画像の透過度を増加させるような構成とされ得る。
【００１７】
本発明の第２の態様に係るプログラムは、第１表示部および第２表示部と、前記第１表示部が配される第１キャビネットと、前記第２表示部が配される第２キャビネットと、前記第１表示部上に配され、前記第１表示部に対する入力を検出する入力検出部と、を備え、前記第１表示部および前記第１キャビネットが、前記第１表示部が前記第２表示部上に重なるように配置された場合に、前記第２表示部に表示された画像が前記第１表示部を通して見られるように構成された携帯端末装置のコンピュータに、前記入力検出部を前記第２表示部に対する入力を検出する検出部に切り替えるための切替操作を検出する機能と、前記第１表示部が前記第２表示部上に重なる状態にあるときに、前記第１表示部に画像を、当該画像に重なった前記第２表示部の画像が透けて見えるように半透明な状態で表示させ、前記切替操作がなされた場合に、前記入力検出部により検出された前記第２表示部に対する入力に基づいて前記２表示部を制御する機能と、を付与する。
【発明の効果】
【００１８】
本発明の携帯端末装置およびプログラムによれば、一方の表示部が他方の表示部の上に重なる閉状態においても、他方の表示部の実行画面を見たり、実行画面に対して操作したりできる。
【００１９】
本発明の効果ないし意義は、以下に示す実施の形態の説明により更に明らかとなろう。ただし、以下の実施の形態は、あくまでも、本発明を実施化する際の一つの例示であって、本発明は、以下の実施の形態に記載されたものに何ら制限されるものではない。
【図面の簡単な説明】
【００２０】
【図１】実施の形態に係る、閉状態および開状態の携帯電話機の外観構成および内部構成を示す図である。
【図２】実施の形態に係る、チルト状態の携帯電話機の外観構成を示す図である。
【図３】実施の形態に係る、携帯電話機の、閉状態から開状態へ変形される様子を説明する図である。
【図４】実施の形態に係る、携帯電話機の全体構成を示すブロック図である。
【図５】実施の形態に係る、第１ディスプレイおよび第２ディスプレイにランチャー画面およびアプリケーションの実行画面が表示された状態を示す図である。
【図６】実施の形態に係る、閉状態において、第１タッチセンサへの操作がなされたときの制御処理動作を示すフローチャートである。
【図７】実施の形態に係る、閉状態において、第１ディスプレイでメモ帳のアプリケーションが実行され、第２ディスプレイでウェブブラウザが実行されている場合に、各ディスプレイの実行画面に対して操作がなされたときの事例を説明するための図である。
【図８】実施の形態に係る、閉状態において、第１ディスプレイおよび第２ディスプレイで拡張現実のアプリケーションが実行されている場合に、各ディスプレイの実行画面に対して操作がなされたときの事例を説明するための図である。
【図９】実施の形態に係る、第１ディスプレイおよび第２ディスプレイで拡張現実のアプリケーションが実行されている場合に、閉状態から開状態に切り替えられたときの画面表示について説明するための図である。
【図１０】実施の形態に係る、閉状態において、第１ディスプレイおよび第２ディスプレイで動画プレーヤのアプリケーションが実行されている場合に、各ディスプレイの実行画面に対して操作がなされたときの事例を説明するための図である。
【図１１】変更例１および変更例２に係る、閉状態において、第１タッチセンサへの操作がなされたときの制御処理動作を示すフローチャートである。
【図１２】その他の変更例に係る、閉状態において、第１タッチセンサへの操作がなされたときの制御処理動作を示すフローチャートである。
【発明を実施するための形態】
【００２１】
以下、本発明の実施の形態に係る携帯電話機について説明する。
【００２２】
＜携帯電話機の構成＞
図１（ａ）〜（ｄ）、図２（ａ）および（ｂ）は、本実施の形態に係る携帯電話機１の構成を示す図である。図１（ａ）は、閉状態の携帯電話機１の構成を示す斜視図、図１（ｂ）は、開状態の携帯電話機１の構成を示す斜視図である。図１（ｃ）は、図１（ａ）の携帯電話機１を右側から見たときの内部透視図、図１（ｄ）は、図１（ｂ）の携帯電話機１を右側から見たときの内部透視図である。
【００２３】
図２(ａ)は、チルト状態の携帯電話機１を、第１キャビネット１０の手前側から見た斜視図、図２(ｂ)は、チルト状態の携帯電話機１を、第１キャビネット１０の奥側から見た斜視図である。
【００２４】
図１を参照して、携帯電話機１は、第１キャビネット１０と、第２キャビネット２０と、これら第１および第２キャビネット１０、２０を連結する連結部３０とで構成されている。
【００２５】
以下、携帯電話機１に対する「右」、「左」、「上」、「下」、「手前」および「奥」の方向は、図１(ａ)および（ｂ）に示すように設定される。Ｘ軸、Ｙ軸およびＺ軸の正方向は、それぞれ、上、左および手前方向に対応する。第１および第２キャビネット１０、２０の「前面」は、それぞれ第１および第２キャビネット１０、２０の手前側の面である。第１および第２キャビネット１０、２０の「背面」は、それぞれ第１および第２キャビネット１０、２０の奥側の面である。
【００２６】
閉状態は、第１キャビネット１０が、第２キャビネット２０の前面に重ねられて配された状態である。開状態は、第１キャビネット１０が、第２キャビネット２０の上側に並べられた状態である。
【００２７】
第１キャビネット１０は、左右方向に長い平坦な直方体形状を有する。第１キャビネット１０内には、第１タッチパネル１１が配されている。第１タッチパネル１１は、第１ディスプレイ１２および第１タッチセンサ１３を含む。
【００２８】
第１ディスプレイ１２は、透光性を有する有機ＥＬディスプレイであり、透光性を有する有機ＥＬパネルと、有機ＥＬパネルを駆動するドライバ回路を備える（図示せず）。有機ＥＬパネルは、有機ＥＬ層を挟む陽極および陰極がともに透明電極で構成されており、パネルの向こう側が透けて見える。ドライバ回路が、表示制御装置（後述）から受信する画面信号および制御信号に基づき、透明電極間に通電すると、有機ＥＬ層が発光し、有機ＥＬパネルに画像が描画される。これによって、第１タッチパネル１１の外面である第１表示面１４を介して、ユーザは、描画された画像を閲覧できる。
【００２９】
なお、第１ディスプレイ１２には、画像が半透明な状態で表示される。第１ディスプレイ１２の輝度が増加すると、表示された画像が濃くなるため、第１ディスプレイ１２の透明度、即ち、第１ディスプレイ１２における第１ディスプレイ１２の向こう側の景色の透過度が低下する。反対に、第１ディスプレイ１２の輝度が低下すると、表示された画像が薄くなるため、第１ディスプレイ１２の透明度が増加する。
【００３０】
第１タッチセンサ１３は、長方形状の透明なシートであり、第１ディスプレイ１２の上に重ねられて配されている。第１タッチセンサ１３は、ユーザが第１表示面１４に対して入力したとき、すなわち第１表示面１４をタッチしたとき、タッチされた第１表示面１４上の位置（入力位置）を検出する。第１タッチセンサ１３は、検出した入力位置に応じた位置信号を出力する。
【００３１】
なお、ユーザが第１表示面１４を「タッチ」するとは、ユーザが指やペンなどの接触部材によって第１表示面１４に触れることである。ユーザが接触部材によって第１表示面１４を押したり、撫でたり、第１表示面１４に図形や文字を描いたりする場合に「タッチ」が行われる。ユーザが第１表示面１４を「タップ」するとは、接触部材や指が第１表示面１４を弾くように、第１表示面１４のある位置において接触部材や指をタッチさせ、短時間のうちにリリースさせる動作を言う。ユーザが第１表示面１４を「スライド」するとは、ユーザが接触部材や指を、第１表示面１４に接触したまま、第１表示面１４に沿って動かす動作を言う。
【００３２】
第１キャビネット１０の前面には、キー群１５が配される。キー群１５は、ホーム画面を第１表示面１４に表示させるためのホームキー１５Ｈ、アプリケーションの実行の際に第１表示面１４に表示される実行画面をひとつ戻すためのバックキー１５Ｂ、アプリケーションの起動のためのアイコンを含むアプリケーション起動画面（ランチャ画面）を第１表示面１４に表示させるためのランチャキー１５Ｒ等を含む。
【００３３】
ホームキー１５Ｈ、バックキー１５Ｂおよびランチャキー１５Ｒは、タッチキーである。指等により、ホームキー１５Ｈ、バックキー１５Ｂおよびランチャキー１５Ｒのいずれかがタッチされると、キー入力回路（後述）が備えるタッチセンサ（図示せず）がこのタッチの操作を検出し、タッチされたキーに応じた信号を出力する。
【００３４】
第２キャビネット２０は、左右方向に長い平坦な直方体形状を有する。第２キャビネット２０内には、第２タッチパネル２１が配されている。第２タッチパネル２１は、第２ディスプレイ２２および第２タッチセンサ２３を含む。
【００３５】
第２ディスプレイ２２は、液晶ディスプレイであり、液晶パネル、バックライトおよびこれらを駆動するドライバ回路を備える（図示せず）。ドライバ回路が、表示制御装置（後述）から受信する画面信号および制御信号に基づき液晶パネルおよびバックライトを駆動することにより、液晶パネルが画像を描画し、バックライトが点灯する。これによって、第２タッチパネル２１の外面である第２表示面２４を介して、ユーザは描画された画像を閲覧できる。
【００３６】
第２タッチセンサ２３は、長方形状の透明なシートであり、第２ディスプレイ２２の上に重ねられて配されている。第２タッチセンサ２３は、ユーザが第２表示面２４をタッチしたとき、タッチされた第２表示面２４上の位置を検出する。第２タッチセンサ２３は、検出した位置に応じた信号を出力する。
【００３７】
第２キャビネット２０の前面および側面には、キー群２５、２６が配される。キー群２５は、ホーム画面を第２表示面２４に表示させるためのホームキー２５Ｈ、アプリケーションの実行の際に第２表示面２４に表示される実行画面をひとつ戻すためのバックキー２５Ｂ、アプリケーション起動画面を第２表示面２４に表示させるためのランチャキー２５Ｒ等を含む。ホームキー２５Ｈ、バックキー２５Ｂおよびランチャキー２５Ｒは、タッチキーである。指等により、ホームキー２５Ｈ、バックキー２５Ｂおよびランチャキー２５Ｒのいずれかがタッチされると、キー入力回路（後述する）が備えるタッチセンサ(図示せず)がこのタッチの操作を検出し、タッチされたキーに応じた位置信号を出力する。
【００３８】
キー群２６は、第２キャビネット２０の下側側面部に配された機能キー２６Ｆ１、２６Ｆ２、２６Ｆ３を含む。機能キー２６Ｆ１、２６Ｆ２、２６Ｆ３は、所定アプリケーションの起動、またはアプリケーションの実行時における音量調節その他の各種の機能のためのキーである。機能キー２６Ｆ１、２６Ｆ２、２６Ｆ３が押下されると、キー入力回路がこの押下を検出し、押下されたキーに応じた信号を出力する。
【００３９】
キー群２６は、さらに、第２キャビネット２０の右側側面部に配された切替キー２６Ｃを含む。切替キー２６Ｃは、閉状態において、第１タッチセンサ１３を、第１ディスプレイ１２（第１表示面１４）に対する入力を検出する検出部から第２ディスプレイ２２(第２表示面２４)に対する入力を検出する検出部に切り替えるときにタッチされる。切替キー２６Ｃは、タッチキーである。指等により、切替キー２６Ｃがタッチされると、キー入力回路が備えるタッチセンサ(図示せず)がこのタッチの操作を検出し、切替信号を出力する。
【００４０】
なお、切替キー２６Ｃの配置位置は、第２キャビネット２０の右側側面部でなくても良く、たとえば、左側側面部、前面部、後面部、背面部であっても良い。また、第１キャビネット１０に、切替キー２６Ｃが設けられても良い。
【００４１】
図２（ｂ）に示すように、第１キャビネット１０の背面部には、開口部１６が形成されている。携帯電話機１が閉状態にあるとき、開口部１６を通じて第１ディスプレイ１２と
第２ディスプレイ２２が対面する。第１ディスプレイ１２は、透光性を有するため、閉状態においても、ユーザは、第１ディスプレイ１２および開口部１６を通じて、携帯電話機１の手前側から第２ディスプレイ２２表示された画像を見ることができる。
【００４２】
図１（ｃ）を参照して、閉状態において、第１および第２表示面１４、２４のうち第１表示面１４のみが外部を臨む。第２表示面２４は、第１キャビネット１０の背後に配され、外部を臨まない。図１（ｄ）を参照して、開状態において、第１および第２表示面１４、２４は、携帯電話機１の前面側から外部を臨む。
【００４３】
図２（ａ）および（ｂ）に示されるチルト状態において、第１キャビネット１０が、第２キャビネット２０の上側に並べられて配される。ただし、チルト状態での第１および第２キャビネット１０、２０の各前面は、開状態の場合と異なり、図２（ａ）および（ｂ）に示される如く、所定の鈍角（たとえば百数十度）を有するよう配されている。
【００４４】
連結部３０は、中央フレーム３１、第１右フレーム３２、第１左フレーム３３、第２右フレーム３４および第２左フレーム３５を有する。中央フレーム３１は、左右に延びる形状を有する。中央フレーム３１の右端は、第１右フレーム３２の一端および第２右フレーム３４の一端に接続する。中央フレーム３１の左端は、第１左フレーム３３の一端および第２左フレーム３５の一端に接続する。
【００４５】
第１右フレーム３２および第１左フレーム３３の他端には、それぞれ左右方向に延びる軸(図示せず)が配される。この軸が、第１キャビネット１０の左右の側面部に配された溝部１７により挟まれる。なお、図２（ｂ）において、左側側面部の溝部１７のみが描かれる。これらの軸が、溝部１７に沿ってスライド移動可能に第１キャビネット１０に保持されることにより、第１キャビネット１０が、軸を中心に回転可能、且つ溝部１７に沿って上下方向にスライド可能に、第１右フレーム３２および第１左フレーム３３により保持される。
【００４６】
第２右フレーム３４および第２左フレーム３５は、第２キャビネット２０を、左右方向を軸として回転可能に保持する。
【００４７】
連結部３０は、以下に図３（ａ)〜(ｆ)を用いて説明するように、第１および第２キャビネット１０、２０を、開状態と閉状態とを、チルト状態を介して切り替え可能に保持する。ユーザは、手動で、携帯電話機１の配置状態を遷移させることができる。なお、閉状態が本発明の第１配置状態に相当し、開状態およびチルト状態が本発明の第２配置状態に相当する。
【００４８】
図３（ａ）〜（ｆ）は、携帯電話機１の画面状態が閉状態（図３（ａ））から、チルト状態（図３（ｄ））を介して開状態（図３（ｆ））へ遷移される過程を、携帯電話機１の右側から見て説明する図である。
【００４９】
携帯電話機１が図３（ａ）のように閉状態にあるとき、第１キャビネット１０が手前方向（図３（ａ）の破線矢印）へ移動されると、図３（ｂ）に示す如く、第１キャビネット１０の背面が、第２キャビネット２０の前面から離れる。このとき、第１キャビネット１０の移動に応じて、連結部３０は、時計回りの方向へ回転（実線矢印）される。
【００５０】
図３（ｂ）に示される状態において、第１キャビネット１０がさらに手前方向へ移動され、且つ第１表示面１４が下側を向くように回転されると（破線矢印）、携帯電話機１の状態は、図３（ｃ）の配置状態を介して、図３（ｄ）のチルト状態に至る。チルト状態において、第１キャビネット１０の背面の下側は、連結部３０に当接する。
【００５１】
第１キャビネット１０の背面の下側が連結部３０に当接した状態が保たれたまま、連結部３０がさらに時計回りの方向（図３(ｄ)の破線矢印）へ回転されると、携帯電話機１は、図３（ｅ）に示される、第１表示面１４と第２表示面２４とが略一面状態になる状態に至る。
【００５２】
図３（ｅ）において、第１キャビネット１０および第２キャビネット２０との間には、間隙（数ミリメートル）が存在する。第１キャビネット１０を、第２キャビネット２０に対して下方向（一点鎖線矢印）へスライドさせると、図３（ｆ）のように、携帯電話機１は開状態へと至る。このとき、第１キャビネット１０の下側側面と、第２キャビネット２０の上側側面とが、互いに接した状態となる。
【００５３】
なお、携帯電話機１が図３（ｄ）で示されるチルト状態にあるとき、すなわち第１右フレーム３２および第１左フレーム３３と第２キャビネット２０とが所定の鈍角をなす状態にあるとき、連結部３０は、連結部３０の回転を弱く係止するための構造を有する。回転が弱く係止されるため、ユーザは、チルト状態を保ったまま携帯電話機１を使用することが可能であり、且つ、使用状態をチルト状態から開状態または閉状態へ、容易に変化させることができる。
【００５４】
図４は、携帯電話機１の全体構成を示すブロック図である。本実施の形態の携帯電話機１は、上述した各構成要素の他、ＣＰＵ１００、メモリ２００、カメラモジュール３０１、マイク３０２、音声エンコーダ３０３、キー入力回路３０４、通信モジュール３０５、第１表示制御装置３０６、第２表示制御装置３０７、第１ＶＲＡＭ３０８、第２ＶＲＡＭ３０９、音声デコーダ３１０、スピーカ３１１、開閉センサ３１２加速度センサ３１３、ＧＰＳモジュール３１４および電子コンパス３１６を備えている。
【００５５】
カメラモジュール３０１は、第２キャビネット２０に配されている。カメラモジュール３０１は、第２キャビネット２０の背面部に設けられたレンズ窓（図示せず）を介して撮像し、カメラモジュール３０１が内蔵する映像エンコーダ（図示せず）によりデジタル撮像信号を生成する。カメラモジュール３０１は、生成した撮像信号をＣＰＵ１００へ出力する。
【００５６】
マイク３０２は、第１キャビネット１０に配される。マイク３０２は、集音した音声を音声信号に変換して音声エンコーダ３０３へ出力する。音声エンコーダ３０３は、マイク３０２からのアナログの音声信号をデジタルの音声信号に変換し、変換されたデジタルの音声信号をＣＰＵ１００へ出力する。
【００５７】
キー入力回路３０４は、キー群１５、２５、２６の各キーが押下されたときに、押下されたキーに応じた信号をＣＰＵ１００へ出力する。
【００５８】
通信モジュール３０５は、通話や通信のための電波を送受信するアンテナ（図示せず）を備える。通信モジュール３０５は、ＣＰＵ１００から入力される信号を無線信号に変換し、変換された無線信号を、アンテナを介して、基地局や他の通信装置等の通信先へ送信する。また、通信モジュール３０５は、アンテナを介して受信した無線信号をＣＰＵ１００が利用できる形式の信号へ変換し、変換された信号をＣＰＵ１００へ出力する。
【００５９】
第１表示制御装置３０６および第２表示制御装置３０７は、それぞれ、第１ディスプレイ１２および第２ディスプレイ２２を制御する。第１表示制御装置３０６および第２表示制御装置３０７は、それぞれコントローラを有する。また、第１表示制御装置３０６はおよび第２表示制御装置３０７は、それぞれ、画面を記憶する第１ＶＲＡＭ３０８および第
２ＶＲＡＭ３０９を有する。
【００６０】
第１表示制御装置３０６は、ＣＰＵ１００から入力する画像データに基づき画面表示のためのデータを生成し、生成した画面データを、ＣＰＵ１００から入力する制御信号にもとづいて、第１ＶＲＡＭ３０８に記憶させる。第１ＶＲＡＭ３０８は、複数の画面（たとえば数画面分）の画面データを記憶できる。第１表示制御装置３０６は、第１ＶＲＡＭ３０８に記憶された表示対象の画面データを、所定の時間間隔（たとえば、１秒に数１０回程度）で、第１ディスプレイ１２のドライバ回路へ出力する。
【００６１】
第２表示制御装置３０７は、第１表示制御装置３０６と同様の構成がとられている。すなわち、第２表示制御装置３０７は、ＣＰＵ１００から入力する制御信号および画面データに基づき、第２ＶＲＡＭ３０９に複数の画面データを記憶させる。第２表示制御装置３０７は、第２ＶＲＡＭ３０９に記憶された表示対象の画面データを、所定の時間間隔（たとえば、１秒に数１０回程度）で、第２ディスプレイ２２のドライバ回路に出力する。
【００６２】
音声デコーダ３１０は、ＣＰＵ１００からの音信号にデコード処理およびＤ／Ａ変換を施し、変換された信号をスピーカ３１１に出力する。スピーカ３１１は、音声デコーダ３１０から入力する信号に基づき、音を出力する。
【００６３】
開閉センサ３１２は、連結部３０の第２キャビネット２０に対する角度を検出する。開閉センサ３１２は、第２キャビネット２０と連結部３０がなす角度を検出する角度センサを備え、検出された角度に応じたデジタル信号を、ＣＰＵ１００へ出力する。ＣＰＵ１００は、開閉センサ３１２からの信号に基づき、現在、携帯電話機１の第１キャビネット１０および第２キャビネット２０の配置状態が、開状態、閉状態およびチルト状態の何れであるかを検出する処理を実行する。
【００６４】
加速度センサ３１３は、第２キャビネット２０に配され、携帯電話機１に加えられる加速度を検出する。加速度センサ３１３は３軸加速度センサであり、図１のＸ軸方向、Ｙ軸方向およびＺ軸方向の３方向に生じる加速度を検出する。加速度センサ３１３は、検出した加速度に応じた加速度信号をＣＰＵ１００へ出力する。ＣＰＵ１００は、加速度センサ３１３からの加速度信号に基づき、携帯電話機１が、横向きおよび縦向きの何れの方向を向いているかを検出する。なお、使用状態がチルト状態であるとき、ＣＰＵ１００は、加速度センサ３１３が配された第２キャビネット２０の向きを基準にして、携帯電話機１の向きが、横向きおよび縦向きの何れの方向を向いているかを検出する。
【００６５】
ＧＰＳモジュール３１４は、上空にある複数のＧＰＳ衛星からの信号に基づいて、経度、緯度等の地理的な現在位置を測位し、その位置情報、即ち現在地情報をＣＰＵ１００に出力する。
【００６６】
電子コンパス３１５は、３軸タイプの電子コンパスであり、方位に応じた検出信号を出力する。ＣＰＵ１００は、電子コンパス３１５からの検出信号に基づいて、カメラモジュール３０１のレンズ窓が向く方位、即ち、カメラモジュール３０１が撮影している方位を検出する。
【００６７】
メモリ２００は、ＲＯＭおよびＲＡＭを含む。メモリ２００には、ＣＰＵ１００に制御機能を付与するための制御プログラムが記憶されている。制御プログラムは、通話、電子メール（以下、単に「メール」と言う。）、カメラ機能、ウェブブラウザ、音楽プレーヤ等の各種アプリケーションプログラム（以下、単に「アプリケーション」と言う。）を含む。また、制御プログラムは、後述する、閉状態において、第１タッチセンサ１３への操作がなされたときの制御処理を実行するためのプログラムを含む。
【００６８】
また、メモリ２００は、アプリケーションの実行の際に一時的に利用または生成される各種のデータを記憶するワーキングメモリとしても使用される。
【００６９】
メモリ２００には、制御プログラムの他に、画像データ、通信モジュール３０５を介して外部から取り込んだ情報、および第１および第２タッチセンサ１３、２３により入力された情報等が、所定のファイル形式で保存される。
【００７０】
ＣＰＵ１００は、キー入力回路３０４、各タッチセンサ１３、２３からの操作入力信号に基づき、制御プログラムに従って、カメラモジュール３０１、マイク３０２、通信モジュール３０５、第１および第２ディスプレイ１２、２２、スピーカ３１１等を動作させる。これにより、ＣＰＵ１００は、各種アプリケーションを実行する。
【００７１】
＜携帯電話機の機能＞
図５（ａ）は、開状態において、第１ディスプレイ１２（第１表示面１４）および第２ディスプレイ２２（第２表示面２４）にランチャー画面が表示された状態を示す図である。図５（ｂ）は、開状態において、第１表示面１４および第２表示面２４に、ランチャー画面での操作により起動されたアプリケーションの実行画面が表示された状態を示す図である。図５（ｃ）は、閉状態において、第１表示面１４に実行画面が表示され、第１表示面１４を通じて第２表示面２４の実行画面が見える状態を示す図である。なお、図５（ａ）、（ｂ）、（ｃ）では、携帯電話機１の構成が模式的に示されており、キー群１５、２５、２６等、一部の構成が図示省略されている。以下、図９についても同様である。
【００７２】
図５（ａ）に示すように、ランチャー画面には、各種のアプリケーションにそれぞれ対応するアイコンＤ１が表示されている。アプリケーションは、予め携帯電話機１備えられているアプリケーション以外にも、インターネットを通じたダウンロード等により入手可能であり、入手されたアプリケーションは、インストールにより携帯電話機１に追加される。
【００７３】
ユーザは、複数のアイコンＤ１の中から、所望のアイコンＤ１を指などでタップすることにより、所望のアプリケーションを起動することができる。
【００７４】
メモリ２００には、各アイコンＤ１と表示面１４、２４上での各アイコンＤ１の位置とを対応付けるアイコン対応テーブル、および各アイコンＤ１と各アプリケーションとを対応付けるアプリ対応テーブルが記憶されている。ＣＰＵ１００は、アイコンＤ１がタップされると、タップされた位置に基づいて、アイコン対応テーブルを用いて、タップされたアイコンＤ１を特定する。さらに、アプリ対応テーブルを用いて、タップされたアイコンＤ１に対応するアプリケーションを特定し、そのアプリケーションを起動する。
【００７５】
第１表示面１４に表示されたアプリケーションＡ１に対応するアイコンＤ１がタップされると、アプリケーションの実行画面が第１表示面１４に表示される。また、第２表示面２４に表示されたアプリケーションＡ２に対応するアイコンＤ１がタップされると、アプリケーションＡ２の実行画面が第２表示面２４に表示される（図５（ｂ）参照）。
【００７６】
さて、ユーザが移動する際には、携帯しやすいように、携帯電話機１が閉じられる。２つのアプリケーションＡ１、Ａ２が実行された状態で、携帯電話機１が閉じられた場合、アプリケーションＡ１の実行画面は、第１表示面１４に表示されたままとなるが、さらに、アプリケーションＡ２の実行画面も、第２表示面２４に表示されたままとなる。上述の通り、第１ディスプレイ１２は、実行画面が表示された状態においても向こう側が透けて見えるため、第１表示面１４の実行画面の奥に第２表示面２４の実行画面が映る状態とな
る（図５（ｃ）参照）。
【００７７】
ユーザは、移動しながら携帯電話機１を使用する場合もある。この場合に、ユーザは、携帯電話機１が持ちにくくなるので開状態にはしたくないが、下側の第２ディスプレイ２２で表示されている実行画面に対し、所定の操作を行いたい状況が生じ得る。
【００７８】
そこで、本実施の形態では、以下に説明するように、携帯電話機１を閉状態としたまま、ユーザが第２ディスプレイ２２に表示された実行画面に対して所望の操作が行える構成とされている。
【００７９】
図６は、閉状態において、第１タッチセンサ１３への操作がなされたときの制御処理動作を示すフローチャートである。この制御処理は、閉状態において、第１ディスプレイ１２および第２ディスプレイ２２の双方にアプリケーションに係る実行画面が表示されているときに、ＣＰＵ１００により行われる。
【００８０】
図６を参照して、ＣＰＵ１００は、第１タッチセンサ１３に対して、タッチ、タップ、フリックなどの所定の操作がなされたか否かを監視する（Ｓ１０１）。所定の操作がなされたと判定すると（Ｓ１０１：ＹＥＳ）、ＣＰＵ１００は、切替キー２６Ｃがタッチされているか否かを判定する（Ｓ１０２）。
【００８１】
ユーザは、第１ディスプレイ１２に表示された実行画面に対して操作を行いたい場合には、切替キー２６Ｃにタッチすることなく、第１タッチセンサ１３に対して所定の操作を行う。ＣＰＵ１００は、ステップＳ１０２において、切替キー２６Ｃがタッチされていないと判定すると（Ｓ１０２：ＮＯ）、第１タッチセンサ１３への操作は、第１ディスプレイ１２の実行画面に対する操作であると判断し、第１タッチセンサ１３への操作内容、即ち、タッチされた位置や操作の種別（タップ、フリック等）に応じて、第１ディスプレイ１２の表示を制御する（Ｓ１０３）。即ち、ＣＰＵ１００は、第１ディスプレイ１２の実行画面の内容を、操作内容に応じたものに変更する。
【００８２】
一方、ユーザは、第２ディスプレイ２２に表示された実行画面に対して操作を行いたい場合には、切替キー２６Ｃにタッチしながら、第１タッチセンサ１３に対して所定の操作を行う。ＣＰＵ１００は、ステップＳ１０２において、切替キー２６Ｃがタッチされていると判定すると（Ｓ１０２：ＹＥＳ）、第１タッチセンサ１３への操作は、第２ディスプレイ２２の実行画面に対する操作であると判断し、第１タッチセンサ１３への操作内容に応じて、第２ディスプレイ１２の表示を制御する（Ｓ１０４）。即ち、ＣＰＵ１００は、第２ディスプレイ２２の実行画面の内容を、操作内容に応じたものに変更する。
【００８３】
このようにして、ユーザは、携帯電話機１が閉状態であっても、第２ディスプレイ２２に表示された実行画面に対して、開状態と同様の操作を行い、その操作に基づく内容を確認することができる。
【００８４】
図７は、閉状態において、第１ディスプレイ１２でメモ帳のアプリケーションが実行され、第２ディスプレイ２２でウェブブラウザが実行されている場合に、各ディスプレイ１２、２２の実行画面に対して操作がなされたときの事例を説明するための図である。
【００８５】
図７（ａ）、（ｂ）は、閉状態において、メモ帳のアプリケーションの文字入力画面が第１ディスプレイ１２に表示され、地図のウェブ画面（地図画面）が第２ディスプレイ２２に表示された状態を示す図である。図７（ｃ）は、閉状態において、第１ディスプレイ１２の文字入力画面に対して操作がなされたときの画面表示例を示す図であり、図７（ｄ）は、第２ディスプレイ２２の地図画面に対して操作がなされたときの画面表示例を示す
図である。
【００８６】
なお、図７（ｂ）、（ｃ）、（ｄ）では、各ディスプレイ１２、２２の実行画面を分かり易くするため、実際には重なっている２つのディスプレイ１２、２２が並べられて記載されている。以下、図８（ｂ）、（ｃ）、（ｄ）および図１０（ｂ）、（ｃ）、（ｄ）においても同様である。
【００８７】
携帯電話機１が閉じた状態において、図７（ｂ）に示すように、第１ディスプレイ１２にメモ帳のアプリケーションの文字入力画面が表示され、第２ディスプレイ２２に地図画面が表示されている場合、図７（ａ）に示すように、第１ディスプレイ１２に表示された文字入力画面の後方に第２ディスプレイ２２に表示された地図画面が透けて見える。
【００８８】
ユーザは、透けた地図画面を参照しながら文字入力画面において文書を作成できる。この場合、ユーザは、切替キー２６Ｃにタッチすることなく文字入力画面に表わされたキーボードを操作する。これにより、図６のステップＳ１０１、Ｓ１０２、Ｓ１０３の処理がなされ、図７（ｃ）に示すように、文字入力画面にキー操作に基づく文字が入力される。
【００８９】
一方、文書作成中に、たとえば、地図画面において別の範囲を参照したくなった場合、ユーザは、切替キー２６Ｃにタッチしながら、地図画面に表わされた移動キーを操作する。これにより、図６のステップＳ１０１、Ｓ１０２、Ｓ１０４の処理がなされ、図７（ｄ）に示すように、地図画面が移動されて別の範囲の地図が表示される。
【００９０】
このように、図７の事例では、閉状態において第１ディスプレイ１２のアプリケーションを利用しているときに、閉状態のまま、第２ディスプレイ２２のアプリケーションの実行画面を参照したり、その実行画面に対して操作したりできる。
【００９１】
図８は、閉状態において、第１ディスプレイ１２および第２ディスプレイ２２で拡張現実のアプリケーションが実行されている場合に、各ディスプレイ１２、２２の実行画面に対して操作がなされたときの事例を説明するための図である。
【００９２】
図８（ａ）、（ｂ）は、閉状態において、カメラモジュール３０１で撮影された撮影画面が第２ディスプレイ２２に表示され、撮影画面に関連する付加情報（アノテーション）からなる付加情報画面が第１ディスプレイ１２に表示された状態を示す図である。図８（ｃ）は、閉状態において、第１ディスプレイ１２の付加情報画面に対して操作がなされたときの画面表示例を示す図であり、図８（ｄ）は、第２ディスプレイ２２の撮影画面に対して操作がなされたときの画面表示例を示す図である。
【００９３】
携帯電話機１が閉じた状態において、拡張現実のアプリケーションが起動されると、カメラモジュール３０１が駆動される。さらに、ＧＰＳモジュール３１４から現在地情報が取得されるとともに、電子コンパス３１５を用いてカメラモジュール３０１が撮影している方位が検出される。現在地情報および方位情報が通信モジュール３０５を介して専用サーバーに送られ、これら情報に基づく付加情報が専用サーバーから送られてくる。たとえば、街角の風景が撮影されている場合、風景に含まれた建物に入居している各種店舗に関する付加情報が取得される。
【００９４】
こうして、図８（ｂ）に示すように、第２ディスプレイ２２には、カメラモジュール３０１による撮影画面、たとえば、街角の風景が表示される。そして、第１ディスプレイ１２には、撮影画面に関連する付加情報からなる付加情報画面が表示される。
【００９５】
付加情報画面では、各建物に関連する付加情報が、各建物に対応する吹き出しの画像に
より表わされる。吹き出しの中には、ハイパーリンクが設定された文字列が含まれ得る。また、付加情報は、吹き出しよりも小さなアイコンの画像によっても表わされる。このとき、アイコンが、吹き出しと同様な位置に配置され、吹き出しに重なる場合には、図８（ｂ）に示すように、アイコンが、第２ディスプレイ２２において、撮影画面に合成されて表示される。
【００９６】
図８（ａ）に示すように、第１ディスプレイ１２に表示された付加情報画面の後方に第２ディスプレイ２２に表示された撮影画面が透けて見える。付加情報画面内において、各吹き出しは、対応する建物に重なるように配置される。
【００９７】
ユーザは、所望の風景をカメラモジュール３０１で撮影することにより、風景に重ねて付加情報を見ることができる。この場合に、ユーザが、切替キー２６Ｃにタッチすることなく、第１タッチセンサ１３において、吹き出し中のハイパーリンクが設定された文字列の位置にタッチすると、図６のステップＳ１０１、Ｓ１０２、Ｓ１０３の処理がなされ、ハイパーリンクに基づく実行画面が第１ディスプレイ１２に表示される。たとえば、吹き出しに各種の店舗の情報が示されており、設定されたハイパーリンクが、それら店舗の１つであるＣ店のホームページのＵＲＬを参照するものである場合には、ウェブブラウザが起動され、図８（ｃ）に示すように、第１ディスプレイ１２にＣ店のホームページが表示される。
【００９８】
一方、ユーザが、切替キー２６Ｃにタッチしながら、第１タッチセンサ１３において、アイコンの位置にタッチすると、図６のステップＳ１０１、Ｓ１０２、Ｓ１０４の処理がなされ、アイコンに基づく実行画面が第２ディスプレイ２２に表示される。たとえば、図８（ｄ）に示すように、建物内においてアイコンが位置する場所にある店舗に関する詳細情報が第２ディスプレイ２２に表示される。
【００９９】
なお、図８（ａ）に示す閉状態から携帯電話機１が開かれた場合、図９に示すように、第１ディスプレイ１２には、閉状態のときよりも詳細な付加情報が表示される。ユーザは、携帯電話機１を開くことで、各建物内の各種店舗のより詳しい情報を知ることができる。
【０１００】
このように、図８の事例では、付加情報を表すとともに操作の対象となるオブジェクト（吹き出し、アイコン等）が、撮影画面において同様な位置に存在する場合に、これらオブジェクトを第１ディスプレイ１２と第２ディスプレイとにおいて重ねて配置できる。よって、閉状態において拡張現実のアプリケーションを実行する場合に、より多くの付加情報を、容易に操作できる状態で、撮影された風景に画面に合成することができる。
【０１０１】
図１０は、閉状態において、第１ディスプレイ１２および第２ディスプレイ２２で動画プレーヤのアプリケーションが実行されている場合に、各ディスプレイ１２、２２の実行画面に対して操作がなされたときの事例を説明するための図である。
【０１０２】
図１０（ａ）、（ｂ）は、閉状態において、所定の動画の再生画面が第１ディスプレイ１２に表示され、第１ディスプレイ１２の動画の比較対象となる動画の再生画面が第２ディスプレイ２２に表示された状態を示す図である。図１０（ｃ）は、閉状態において、第１ディスプレイ１２の動画を再生する操作がなされたときの画面表示例を示す図であり、図１０（ｄ）は、第２ディスプレイ２２の動画を再生する操作がなされたときの画面表示例を示す図である。
【０１０３】
携帯電話機１が閉じた状態において、図１０（ｂ）に示すように、第１ディスプレイ１２に、所定の動画として、たとえば、ユーザのゴルフスイングが撮影された動画の再生画
面が表示され、第２ディスプレイ２２に、比較対象となる画像として、たとえば、プロゴルファーのゴルフスイングが撮影された動画の再生画面が表示されている場合、図１０（ａ）に示すように、第１ディスプレイ１２に表示されたユーザの画像の後方に第２ディスプレイ２２に表示されたプロゴルファーの画像透けて見える。再生画面には、再生ボタン、送りボタン、戻りボタン等で構成された操作バーが配置される。
【０１０４】
ユーザは、第１ディスプレイ１２の動画、即ち、自分のゴルフスイングの動画を再生する場合には、切替キー２６Ｃにタッチすることなく、第１ディスプレイ１２の再生画面の再生ボタンを操作する。これにより、図６のステップＳ１０１、Ｓ１０２、Ｓ１０３の処理がなされ、図１０（ｃ）に示すように、自分のゴルフスイングの動画が再生される。
【０１０５】
一方、ユーザは、第２ディスプレイ２２の動画、即ち、プロゴルファーのゴルフスイングの動画を再生する場合には、切替キー２６Ｃにタッチしながら、第２ディスプレイ１２の再生画面の再生ボタンを操作する。これにより、図６のステップＳ１０１、Ｓ１０２、Ｓ１０４の処理がなされ、図１０（ｄ）に示すように、プロゴルファーのゴルフスイングの動画が再生される。
【０１０６】
このように、図１０に事例では、互いに比較される２つの動画が重なるように表示され、その状態でそれぞれの動画に対する操作が可能であるので、これら２つの動画、たとえば、ユーザのゴルフスイングの動画とプロゴルファーのゴルフスイングの動画とを、容易に比較、分析することができる。
【０１０７】
なお、互いに比較される動画としては、ゴルフスイングの他、たとえば、ユーザとプロ野球選手のバットスイングの動画等が考えられる。
【０１０８】
また、ユーザが、特定のキー、たとえば、機能キー２６Ｆ１を押しながら、第１ディスプレイ１２の再生ボタンを押した場合には、２つのディスプレイ１２、２２の動画が同時に再生されるようにしても良い。このようにすれば、ユーザは、２つの動画をより容易に比較、分析しやすくなる。
【０１０９】
＜本実施の形態の効果＞
以上、本実施の形態によれば、第１ディスプレイ１２が透光性を有するディスプレイで構成され、閉状態において第１ディスプレイ１２と第２ディスプレイ２２との間に位置する第１キャビネット１０の部位に開口部１６が形成されている。さらに、切替キー２６Ｃを操作することにより、第１タッチセンサ１３が第２ディスプレイ２２に対する入力の検出部として用いられる。これにより、ユーザは、閉状態でも、第２ディスプレイ２２に表示された画像を、開口部１６と第１ディスプレイ１２を通じて見ることができ、また、第２ディスプレイ２２の実行画面に対する操作を行うことができる。
【０１１０】
また、本実施の形態によれば、第１ディスプレイ１２は、画像が表示された状態においても、ディスプレイの向こうが透けた状態となるので、第１ディスプレイ１２に実行画面が表示されていても、第１ディスプレイ１２を通じて第２ディスプレイ２２の実行画面を見ることができる。
【０１１１】
さらに、本実施の形態によれば、開状態でなければ、双方のディスプレイ１２、２２の実行画面を見たり、これら実行画面に対して操作したりできない従来の構成とは違い、図８および図１０に示す事例のように、従来の構成では実現できない、新たな機能を実現できる。
【０１１２】
さらに、本実施の形態によれば、第１ディスプレイ１２に有機ＥＬディスプレイが用い
られているので、第１キャビネット１０の薄型化を図ることができる。
【０１１３】
<変更例＞
図１１（ａ）、（ｂ）は、それぞれ変更例１および変更例２に係る、閉状態において、第１タッチセンサ１３への操作がなされたときの制御処理動作を示すフローチャートである。
【０１１４】
変更例１では、図６に示す上記実施の形態のステップＳ１０２とステップＳ１０４との間に、ステップＳ１０５の処理が追加される。即ち、ＣＰＵ１００は、第１タッチセンサ１３への操作がなされたときに（Ｓ１０１：ＹＥＳ）、切替キー２６Ｃがタッチされていると判定すると（Ｓ１０２：ＹＥＳ）、第１ディスプレイ１２の輝度を低減させる。これにより、第１ディスプレイ１２の実行画面が薄くなるので、後方の第２ディスプレイ２２の実行画面が第１ディスプレイ１２を通じて見やすくなる。
【０１１５】
一方、変更例２では、図６に示す上記実施の形態のステップＳ１０２とステップＳ１０４との間に、ステップＳ１０６の処理が追加される。即ち、ＣＰＵ１００は、第１タッチセンサ１３への操作がなされたときに（Ｓ１０１：ＹＥＳ）、切替キー２６Ｃがタッチされていると判定すると（Ｓ１０２：ＹＥＳ）、第１ディスプレイ１２をオフする。これにより、第１ディスプレイ１２の実行画面が消えるので、後方の第２ディスプレイ２２の実行画面が第１ディスプレイ１２を通じて見やすくなる。
【０１１６】
このように、変更例１および変更例２の構成とすれば、第２ディスプレイの実行画面に対して操作を行った後、その操作に基づく実行画面をより見やすくすることができる。
【０１１７】
なお、変更例１では、ＣＰＵ１００は、一旦、第１ディスプレイ１２の輝度を低下させた後に、切替キー２６Ｃが離されると、輝度を元に戻す。また、変更例２では、ＣＰＵ１００は、一旦、第１ディスプレイ１２をオフした後に、切替キー２６Ｃが離されると、再び第１ディスプレイ１２をオンする。
【０１１８】
また、上記のように、第１タッチセンサ１３が操作されたタイミングでなく、切替キー２６Ｃがタッチされたタイミングで、ＣＰＵ１００が、第１ディスプレイ１２の輝度を低下させる、あるいは、第１ディスプレイ１２をオフするような構成とされても良い。この場合、第１タッチセンサ１３が操作される前に、切替キー２６Ｃが離されれば、ＣＰＵ１００は、第１ディスプレイ１２の輝度を元に戻す、あるいは、第１ディスプレイ１２をオンする。
【０１１９】
＜その他＞
以上、本発明の実施形態について説明したが、本発明は上記実施の形態によって何ら制限されるものではなく、また、本発明の実施形態も上記の他に種々の変更が可能である。
【０１２０】
たとえば、上記実施の形態では、第１タッチセンサ１３が、第１ディスプレイ１２に対する入力の検出部として用いられるか第２ディスプレイ２２に対する入力の検出部として用いられるかが、切替キー２６Ｃへのタッチにより切り替えられる構成とされている。しかしながら、切替えのトリガーとなる操作は、これに限られない。たとえば、第１タッチセンサ１３として、感圧式のタッチセンサが用いられた場合、図１２に示すように、第１タッチセンサ１３への操作が行われた際に、第１タッチセンサ１３に加えられた圧力が検出される（Ｓ１０７）。そして、圧力が所定の閾値以下であれば（Ｓ１０７：ＮＯ）、ＣＰＵ１００は、第１タッチセンサ１３への操作内容に応じて、第１ディスプレイ１２の表示を制御する（Ｓ１０３）。一方、圧力が所定の閾値より大きければ（Ｓ１０７：ＹＥＳ）、ＣＰＵ１００は、第１タッチセンサ１３への操作内容に応じて、第２ディスプレイ２
２の表示を制御する（Ｓ１０４）。
【０１２１】
ユーザは、手前にある第１ディスプレイ１２の実行画面に対して操作するときには、第１タッチセンサ１３に対して弱い力で操作し、奥にある第２ディスプレイ２２の実行画面に対して操作するときには、第１タッチセンサ１３に対して強い力で操作すればよいので、より直感的な操作を行うことができる。
【０１２２】
また、上記変更例１では、閉状態において、第２ディスプレイ２２の実行画面に対して操作がなされる際に、第１ディスプレイ１２の輝度を低下させる構成とされている。しかしながら、これに加えて、あるいは、これとは別に、閉状態において、第１ディスプレイ１２の実行画面に対して操作がなされる際に、第１ディスプレイ１２の輝度を増加させる構成とされても良い。この場合、たとえば、第１タッチセンサ１３への操作がなされたときに、切替キー２６Ｃがタッチされていなければ、ＣＰＵ１００は、第１ディスプレイ１２の輝度を増加させる。その後、たとえば、切替キー２６Ｃがタッチされると、ＣＰＵ１００は、第１ディスプレイ１２の輝度を元に戻す。
【０１２３】
さらに、上記実施の形態では、第１ディスプレイ１２として、透光性を有する有機ＥＬディスプレイが用いられているが、透光性を有する液晶ディスプレイが用いられても良い。また、上記実施の形態では、第２ディスプレイ２２として、液晶ディスプレイが用いられているが、有機ＥＬディスプレイが用いられても良い。
【０１２４】
さらに、上記実施の形態では、第２ディスプレイ２２に表示された画像を通過させるために、第１キャビネット１０の背面部に開口部１６が設けられている。しかしながら、第１キャビネット１０の少なくとも背面部を透明な材料で形成するようにしても良い。
【０１２５】
さらに、上記実施の形態では、２つのディスプレイ１２、２２を備える携帯電話機１が示されている。しかしながら、本発明は、３つ、あるいは４つのディスプレイを備える携帯電話機に適用されても良い。この場合、閉じた状態で最も下になるディスプレイ以外のディスプレイが、透光性を有するディスプレイとされる。さらに、閉状態では、最も上のディスプレイ上に配されるタッチセンサが、その他のディスプレイに対する入力を検出する検出部として切り替えられる。たとえば、３つのディスプレイを備える携帯電話機では、第１切替キーおよび第２切替キーが設けられる。そして、第１切替キーが押された状態で、最も上のタッチセンサが操作されると、ＣＰＵは、その操作内容に応じて中間のディスプレイの表示を制御し、第２切替キーが押された状態で、最も上のタッチセンサが操作されると、ＣＰＵは、その操作内容に応じて最も下のディスプレイの表示を制御する。
【０１２６】
さらに、本発明の携帯端末装置は、携帯電話機に限られず、ＰＤＡ（PersonalDigital Assistant）、タブレットＰＣ（Tablet PC）等であってもよい。
【０１２７】
この他、本発明の実施の形態は、特許請求の範囲に示された技術的思想の範囲内において、適宜、種々の変更が可能である。
【符号の説明】
【０１２８】
１０  第１キャビネット
１２  第１ディスプレイ（第１表示部）
１３  第１タッチセンサ（入力検出部）
１６  開口部（通過部）
２０  第２キャビネット
２２  第２ディスプレイ（第２表示部）
２６Ｃ  切替キー（切替操作部）
１００  ＣＰＵ（制御部、切替検出部）
【図１】
0005774931.tif 000002
【図２】
0005774931.tif 000003
【図３】
0005774931.tif 000004
【図４】
0005774931.tif 000005
【図５】
0005774931.tif 000006
【図６】
0005774931.tif 000007
【図７】
0005774931.tif 000008
【図８】
0005774931.tif 000009
【図９】
0005774931.tif 000010
【図１０】
0005774931.tif 000011
【図１１】
0005774931.tif 000012
【図１２】
0005774931.tif 000013